(57)【特許請求の範囲】
【請求項１】
複数のチャンネルを備えた監視装置本体に付設されるバス配線と、前記チャンネルに物理的に接続される複数のノードと、前記バス配線に接続される複数のノードとを備え、これらすべてのノードを前記監視装置本体が所定のデータ様式に基づいて遠隔監視し、
前記バス配線に接続される複数のノードの各々には前記チャンネルの通し番号が付され、
前記所定のデータ様式は、前記バス配線に接続される複数のノードに関するノードデータと、前記バス配線に接続される複数のノード及び前記チャンネルに物理的に接続される複数のノードに関する監視用データとが関連付けられ、前記チャンネルに物理的に接続される複数のノードに関する監視用データの様式に基づいて決定される
ことを特徴とする監視装置。
【発明の詳細な説明】
【０００１】
【発明の属する技術分野】
本発明は、複数のビル又は装置等の遠隔監視を行う監視装置に関するものである。
【０００２】
【従来の技術】
従来の監視装置としては、物理的なチャンネルがその本体に複数備えられ、ここにノードを接続してこれらを監視するようなものが提案されていた。
【０００３】
【発明が解決しようとする課題】
しかしながら、従来の監視装置においては、ノードの設置が上記チャンネルの数によって既に物理的に制限（例えば、１２チャンネル等）された形となっており、これを自由に増減することが不可能であった。したがって、監視対象であるノード数が増加すると、監視装置本体そのものを増加させる必要があった。
【０００４】
また、ノードの設置形態を変化させようとする場合には、上記チャンネルを備える装置本体の電源を切ったり、再び入れたりする作業が必然となっており、作業性に問題があった。
【０００５】
本発明は上記事情に鑑みてなされたもので、その目的とするところは、複数のノードを自由に増減可能な監視装置を提供することにある。
【０００６】
【課題を解決するための手段】
本発明は、上記の課題を解決するために以下の手段をとった。
すなわち、請求項１記載の監視装置は、複数のチャンネルを備えた監視装置本体に付設されるバス配線と、前記チャンネルに物理的に接続される複数のノードと、前記バス配線に接続される複数のノードとを備え、これらすべてのノードを前記監視装置本体が所定のデータ様式に基づいて遠隔監視することを特徴とするものである。
【０００７】
これによれば、チャンネルに接続される複数のノード（以下、この項で物理的接続ノードという）とバス配線に接続される複数のノード（同様に、バス接続ノードという）とが、所定のデータ様式に基づいて遠隔監視されることになる。換言すれば物理的接続ノードとバス接続ノードとは、同一の様式ないし形式によって、監視装置本体により統一的に監視されることになる。この場合例えば、通常、物理的接続ノードを対象として扱うプログラムを、バス接続ノードに対しても適用することが可能であって、該バス接続ノードをあたかも物理的接続ノードのようにみなすことが可能となる。また、バス接続ノードは、原理的にいくつでも接続可能であるから、本発明に係る監視装置は、その自由度が向上されたものであるということが言える。
【０００８】
更に説明すると本発明に記載の監視装置は、前記バス配線に接続される複数のノードの各々に前記チャンネルの通し番号が付し、前記所定のデータ様式が、前記バス配線に接続される複数のノードに関するノードデータと、前記バス配線に接続される複数のノード及び前記チャンネルに物理的に接続される複数のノードに関する監視用データとの関連付けを行い、前記チャンネルに物理的に接続される複数のノードに関する監視用データの様式に基づいて決定されることを特徴とするものである。
【０００９】
これによれば、請求項１のところで述べた作用に加えて、バス接続ノードを新たに付加等する場合には、すべてのノードを監視するための所定のデータ様式は、実質上、上記定義による「関連付け」のデータ設定のみを行うようにすれば決定されることになる。すなわちこの場合においては、従来必要であった装置電源の切/入等の作業を必要としない。また、物理的なチャンネル数の制限を受けることなく監視対象（ノード）の自由な接続が可能となる。
【００１０】
【発明の実施の形態】
以下では、本発明の実施の形態について、図を参照して説明する。図１は、本発明に係る監視装置の一実施形態を示す説明図である。この監視装置は、監視装置本体１、各ビル又は各装置等に対応する複数の監視対象であるノードＡ〜Ｄ、そしてバス配線２から概略構成されている。ちなみに、図１におけるノードは、四種が設けられている例が示されている。
【００１１】
監視装置本体１は、図１に示すように、ＤＨＣＰ（Dynamic Host Configura- tion Protocol）サーバ１ａをその構成要素の一つとして備えている。ＤＨＣＰサーバ１ａは、ＬＡＮ（ＴＣＰ/ＩＰ）ネットワークにおいて、クライアントホストに対して、起動時に動的にＩＰアドレス等を割り当て、また、終了時にそのＩＰアドレス等を回収するためのプロトコルを実行するものである。なお、ここで「動的に」とは、例えば、ある特定のクライアントを仮定した場合に、その起動毎に、変更されたＩＰアドレス等が割り当てられるという事態を意味している。
【００１２】
上記したノードＡ〜ＤのうちノードＡ及びＣについては、図１に示すように、バス配線２に接続されている。これらのノードＡ及びＣには、上述したように、動的にＩＰアドレスが割り当てられる。そして、これらバス配線２に接続されたノードＡ及びＣは、監視装置本体１で管理しているシリアルチャンネル毎のデータに論理的に割り付けられ、後述するように、あたかも物理的なチャンネルに接続されたノードとして扱われることになる。ここで物理的なチャンネルに接続されたノードとは、図１では、ノードＢ及びＤがそれにあたる。これらは図に示すように、監視装置本体１に予め備えられている物理的なチャンネル２（Ｃｈ２）及び４（Ｃｈ４）に、それぞれ接続された状態となっていることがわかる。
【００１３】
監視装置本体１は、上記バス接続されたノードＡ及びＣに関するデータ（以下、ノードデータという）を管理する。このノードデータとは、図１に示すように、例えば既述のＩＰアドレス、及びそのホスト名等がそれにあたる。
【００１４】
また監視装置本体１は、上記ノードデータの他、監視用データ（図ではＩＤ情報）を管理する。これは、例えば接続されるノードに関するロケーションデータ（ビル、フロア）、被監視装置２の装置名、同装置２の通し番号、警報内容、計測内容等から構成された様式を備え、監視装置本体１にはファイル転送により登録される。また図に示すように、この監視用データは、バス配線に接続されたノードＡ及びＣあるいは物理的接続されたノードＢ及びＤの如何に関わらず、各チャンネル毎に対応した登録がなされる。ここで、ノードＡ及びＣについては、仮想的なチャンネル１（Ｃｈ１）及び３（Ｃｈ３）が対応していることがわかるが、これはすぐ後で述べる関連付けデータにより行われる。
【００１５】
監視装置本体１は、上記ノードデータ及び監視用データを関連付けることによって、物理的なチャンネルに登録する監視用データの様式、すなわち今の場合ノードＢ及びＤに関するような監視用データの様式を用いて、バス配線２上のノードＡ及びＣを監視する。このことは一方で、ノードＡ及びＣについて、これらが「仮想的に接続されたチャンネル」を想定すること（論理的割り付け）をも意味し、図でそれらは、チャンネル１（Ｃｈ１）及び３（Ｃｈ３）となるような「設定」がなされていることがわかる。ちなみに図において、Ｃｈ２及びＣｈ４の関連付けデータが「なし」とされているのは、これらのチャンネルには上述したようにノードＢ及びＤがそれぞれ接続されておりそもそも「関連付け」する必要がないためである。
【００１６】
なお本実施形態において、ノードデータは、監視装置本体１に対して自動的に登録されるようになっているとともに、このノードデータと監視データの関連付けは遠隔手動操作によって行われるようになっている。
【００１７】
本発明に係る監視装置は、このような構成であることにより以下に説明する作用効果を得る。
すなわち、ノードＡ及びＣとノードＢ及びＤとは、ノードＢ及びＤに関するような監視用データの様式により統一的に監視されることになる。換言すれば、本発明におけるすべてのノードは、同一の様式によって監視されるということが言える。したがって、バス配線２上のノードＡ及びＣに対して、既存のシリアルポートに接続されたノードを扱うプログラムをそのまま利用できる。つまり今の場合で言えば、通常、ノードＢ及びＤのように物理的なチャンネルに接続されたものを対象として扱うよう組まれたプログラムを、上記バス配線２に接続されたノードＡ及びＣについても同様に使用することができるのである。結局、ノードＡ及びＣは、ノードＢ及びＤと同様な、あたかも物理的なチャンネルに接続されたノードとして扱われることになる。
【００１８】
また、バス配線２を用いての仮想的なシリアルポート接続とするため、電源の切り・入り等の作業を必要とせず、ノードの接続及び関連づけデータの設定によって監視対象の登録が可能となる。しかも、物理的なチャンネル数の制限を受けることなく監視対象の接続が可能となる。これらのことは、言い換えれば、監視対象を自由に増減できることを意味するものであり、関連付けされたデータの設定をすればノード増、その設定解除をすればノード減と、簡易かつ自由にノードの数を決めることができるのである。結局、本発明の装置は、その設置自由度が飛躍的に向上されているということがいえよう。
【００１９】
なお上記実施形態においては、設けられるノードは、Ａ〜Ｄの四種であったが、本発明はこの事例に限定されるものでは勿論ない。バス配線２に接続されるノードＡ及びＣがより増やせることは上でも述べたが、物理的なチャンネルに接続されるノードに関しても、上記ノードＢ及びＤ以外のノードを図示しないチャンネルすべてに接続することが可能であることは当然である。また場合によっては、監視装置本体１の物理的なチャンネルの数を増減することも視野内の事項である。結局、ノード数に関して本発明は特に限定を意図するものではないのである。
【００２０】
【発明の効果】
以上説明したように、請求項１記載の監視装置は、バス配線に接続されたノード（以下この項でバス接続ノードという）とチャンネルに物理的に接続されたノード（同様に、物理的接続ノードという）とを、所定のデータ様式により監視することから、すべてのノードが同一の様式ないし形式によって統一的に監視されることになる。つまり、バス接続ノードをあたかも物理的接続ノードのようにみなすことが可能となる。またバス接続ノードは、原理的にいくつでも接続可能であるから、結局、本発明に係る監視装置は上記した簡易かつ統一的な監視条件の設定とも相俟って、装置構成の自由度が飛躍的に向上したものであるということが言える。
【００２１】
また本発明に記載の監視装置は、前記所定のデータ様式の決定が前記バス配線に接続される複数のノードに関するノードデータと、前記バス配線に接続される複数のノード及び前記チャンネルに物理的に接続される複数のノードに関する監視用データとの関連付けを行うことによってなされるから、バス接続ノードを新たに付加等する場合には、上記定義による「関連付け」のデータ設定を行うようにすればよいことになる。したがって、ノード増設時等に従来必要であった装置電源の切/入等の作業を必要とせず、物理的なチャンネル数の制限を受けることなく監視対象（ノード）の自由な接続が可能となる。
【図面の簡単な説明】
【図１】  本発明に係る監視装置の一例を示す説明図である。
【符号の説明】
１  監視装置本体
１ａ  ＤＨＣＰサーバ
２  バス配線
Ａ、Ｂ、Ｃ、Ｄ  ノード
【図１】
0004183838.tif 000002